【手続補正書】
【提出日】平成20年5月19日(2008.5.19)
【手続補正１】
【補正対象書類名】明細書
【補正対象項目名】発明の名称
【補正方法】変更
【補正の内容】
【発明の名称】色処理方法及び装置
【手続補正２】
【補正対象書類名】明細書
【補正対象項目名】特許請求の範囲
【補正方法】変更
【補正の内容】
【特許請求の範囲】
【請求項１】
供給元装置からの供給元の黒生成アルゴリズムに基づき生成されたＣＭＹＫ供給元カラーデータを、宛先装置においてレンダリングするためのＣＭＹＫ宛先カラーデータに変換するための色処理方法であって、
前記供給元の黒生成アルゴリズムを含む供給元カラープロファイルをアクセスする工程と、
前記供給元の黒色生成アルゴリズムの逆変換を前記ＣＭＹＫ供給元カラーデータに適用し、ＣＭＹ供給元カラーデータを生成する工程と、
前記ＣＭＹ供給元カラーデータをデバイス非依存カラーデータに変換する工程と、
前記デバイス非依存カラーデータをＣＭＹ宛先カラーデータに変換する工程と、
前記アクセス工程で得られる前記供給元の黒色生成アルゴリズムを前記ＣＭＹ宛先カラーデータに適用し、前記ＣＭＹＫ宛先カラーデータを生成する工程とを備えることを特徴とする色処理方法。
【請求項２】
前記供給元カラープロファイルは、カラーデータを第１の色空間から第２の色空間に変換するための変換を含むことを特徴とする請求項１記載の色処理方法。
【請求項３】
前記供給元の黒色生成アルゴリズムは、１組のデータから構成されることを特徴とする請求項１記載の色処理方法。
【請求項４】
前記１組のデータは、ＣＭＹカラーデータをＣＭＹＫカラーデータに変換するための１組の曲線を表すデータから構成されることを特徴とする請求項３記載の色処理方法。
【請求項５】
前記１組のデータは、ＣＭＹカラーデータをＣＭＹＫカラーデータに変換するための変換行列を表すデータから構成されることを特徴とする請求項３記載の色処理方法。
【請求項６】
前記１組のデータは、ＣＭＹカラーデータをＣＭＹＫカラーデータに変換するためのルックアップテーブルを表すデータから構成されることを特徴とする請求項３記載の色処理方法。
【請求項７】
前記ルックアップテーブルは、１次元のルックアップテーブルであることを特徴とする請求項６記載の色処理方法。
【請求項８】
前記ルックアップテーブルは、３次元のルックアップテーブルであることを特徴とする請求項６記載の色処理方法。
【請求項９】
前記供給元カラープロファイルは、所定の標準に従ってフォーマット化されるデータファイルであることを特徴とする請求項１記載の色処理方法。
【請求項１０】
前記供給元カラープロファイルは、カラーデータを第１の色空間から第２の色空間に変換するための変換を含む第１のタグと、前記供給元の黒色生成アルゴリズムを含む第２のタグとを含む複数のタグを有することを特徴とする請求項９記載の色処理方法。
【請求項１１】
前記供給元の黒色生成アルゴリズムは、グレイ成分置換アルゴリズムであることを特徴とする請求項１記載の色処理方法。
【請求項１２】
前記供給元の黒色生成アルゴリズムは、グレイ成分付加アルゴリズムであることを特徴とする請求項１記載の色処理方法。
【請求項１３】
前記供給元の黒色生成アルゴリズムは、下色除去アルゴリズムであることを特徴とする請求項１記載の色処理方法。
【請求項１４】
前記供給元の黒色生成アルゴリズムは、カスタムアルゴリズムであることを特徴とする請求項１記載の色処理方法。
【請求項１５】
所定の分数を使用して、前記供給元の黒色生成アルゴリズムの対応する分数量を前記ＣＭＹ宛先カラーデータに適用し、前記ＣＭＹＫ宛先カラーデータを生成することを特徴とする請求項１記載の色処理方法。
【請求項１６】
前記所定の分数は、ユーザ入力に基づくことを特徴とする請求項１５記載の色処理方法。
【請求項１７】
供給元装置からの供給元の黒生成アルゴリズムに基づき生成されたＣＭＹＫ供給元カラーデータを、宛先装置によるレンダリングのためのＣＭＹＫ宛先カラーデータに変換するための色処理方法であって、
前記供給元装置に対応し、第１の変換及び前記供給元の黒色生成アルゴリズムを含む供給元カラープロファイルと、前記宛先装置に対応し、第２の変換を含む宛先カラープロファイルとをアクセスする工程と、
前記供給元の黒色生成アルゴリズムの逆変換を前記ＣＭＹＫ供給元カラーデータに適用し、ＣＭＹ供給元カラーデータを生成する工程と、
前記第１の変換をＣＭＹ供給元カラーデータに適用し、デバイス非依存カラーデータを生成する工程と、
前記第２の変換を前記デバイス非依存カラーデータに適用し、ＣＭＹ宛先カラーデータを生成する工程と、
前記アクセスする工程で得られる前記供給元黒色生成アルゴリズムを前記ＣＭＹ宛先カラーデータに適用し、前記ＣＭＹＫ宛先カラーデータを生成する工程とを備えることを特徴とする色処理方法。
【請求項１８】
コンピュータに読込ませ実行させることで、前記コンピュータを、供給元装置からの供給元の黒生成アルゴリズムに基づき生成されたＣＭＹＫ供給元カラーデータを、宛先装置においてレンダリングするためのＣＭＹＫ宛先カラーデータに変換するための色処理装置として機能させるコンピュータプログラムであって、
前記供給元の黒生成アルゴリズムを含む供給元カラープロファイルをアクセスする手段と、
前記供給元の黒色生成アルゴリズムの逆変換を前記ＣＭＹＫ供給元カラーデータに適用し、ＣＭＹ供給元カラーデータを生成する手段と、
前記ＣＭＹ供給元カラーデータをデバイス非依存カラーデータに変換する手段と、
前記デバイス非依存カラーデータをＣＭＹ宛先カラーデータに変換する手段と、
前記アクセス手段で得られる前記供給元の黒色生成アルゴリズムを前記ＣＭＹ宛先カラーデータに適用し、前記ＣＭＹＫ宛先カラーデータを生成する手段
として機能させることを特徴とするコンピュータプログラム。
【請求項１９】
コンピュータに読込ませ実行させることで、前記コンピュータを、供給元装置からの供給元の黒生成アルゴリズムに基づき生成されたＣＭＹＫ供給元カラーデータを、宛先装置においてレンダリングするためのＣＭＹＫ宛先カラーデータに変換するための色処理装置として機能させるコンピュータプログラムを格納したコンピュータ可読記憶媒体であって、
前記供給元の黒生成アルゴリズムを含む供給元カラープロファイルをアクセスする手段と、
前記供給元の黒色生成アルゴリズムの逆変換を前記ＣＭＹＫ供給元カラーデータに適用し、ＣＭＹ供給元カラーデータを生成する手段と、
前記ＣＭＹ供給元カラーデータをデバイス非依存カラーデータに変換する手段と、
前記デバイス非依存カラーデータをＣＭＹ宛先カラーデータに変換する手段と、
前記アクセス手段で得られる前記供給元の黒色生成アルゴリズムを前記ＣＭＹ宛先カラーデータに適用し、前記ＣＭＹＫ宛先カラーデータを生成する手段
として機能させるコンピュータプログラムを格納したことを特徴とするコンピュータ可読記憶媒体。
【請求項２０】
供給元装置からの供給元の黒生成アルゴリズムに基づき生成されたＣＭＹＫ供給元カラーデータを、宛先装置においてレンダリングするためのＣＭＹＫ宛先カラーデータに変換するための色処理装置であって、
前記供給元の黒生成アルゴリズムを含む供給元カラープロファイルをアクセスする手段と、
前記供給元の黒色生成アルゴリズムの逆変換を前記ＣＭＹＫ供給元カラーデータに適用し、ＣＭＹ供給元カラーデータを生成する手段と、
前記ＣＭＹ供給元カラーデータをデバイス非依存カラーデータに変換する手段と、
前記デバイス非依存カラーデータをＣＭＹ宛先カラーデータに変換する手段と、
前記アクセス手段で得られる前記供給元の黒色生成アルゴリズムを前記ＣＭＹ宛先カラーデータに適用し、前記ＣＭＹＫ宛先カラーデータを生成する手段と
を備えることを特徴とする色処理装置。
【請求項２１】
コンピュータに読込ませ実行させることで、前記コンピュータを、供給元装置からの供給元の黒生成アルゴリズムに基づき生成されたＣＭＹＫ供給元カラーデータを、宛先装置によるレンダリングのためのＣＭＹＫ宛先カラーデータに変換するための色処理装置として機能させるコンピュータプログラムであって、
前記供給元装置に対応し、第１の変換及び前記供給元の黒色生成アルゴリズムを含む供給元カラープロファイルと、前記宛先装置に対応し、第２の変換を含む宛先カラープロファイルとをアクセスする手段と、
前記供給元の黒色生成アルゴリズムの逆変換を前記ＣＭＹＫ供給元カラーデータに適用し、ＣＭＹ供給元カラーデータを生成する手段と、
前記第１の変換をＣＭＹ供給元カラーデータに適用し、デバイス非依存カラーデータを生成する手段と、
前記第２の変換を前記デバイス非依存カラーデータに適用し、ＣＭＹ宛先カラーデータを生成する手段と、
前記アクセスする手段で得られる前記供給元黒色生成アルゴリズムを前記ＣＭＹ宛先カラーデータに適用し、前記ＣＭＹＫ宛先カラーデータを生成する手段
として機能させることを特徴とするコンピュータプログラム。
【請求項２２】
コンピュータに読込ませ実行させることで、前記コンピュータを、供給元装置からの供給元の黒生成アルゴリズムに基づき生成されたＣＭＹＫ供給元カラーデータを、宛先装置によるレンダリングのためのＣＭＹＫ宛先カラーデータに変換するための色処理装置として機能させるコンピュータプログラムを格納したコンピュータ可読記憶媒体であって、
前記供給元装置に対応し、第１の変換及び前記供給元の黒色生成アルゴリズムを含む供給元カラープロファイルと、前記宛先装置に対応し、第２の変換を含む宛先カラープロファイルとをアクセスする手段と、
前記供給元の黒色生成アルゴリズムの逆変換を前記ＣＭＹＫ供給元カラーデータに適用し、ＣＭＹ供給元カラーデータを生成する手段と、
前記第１の変換をＣＭＹ供給元カラーデータに適用し、デバイス非依存カラーデータを生成する手段と、
前記第２の変換を前記デバイス非依存カラーデータに適用し、ＣＭＹ宛先カラーデータを生成する手段と、
前記アクセスする手段で得られる前記供給元黒色生成アルゴリズムを前記ＣＭＹ宛先カラーデータに適用し、前記ＣＭＹＫ宛先カラーデータを生成する手段
として機能させるコンピュータプログラムを格納したことを特徴とするコンピュータ可読記憶媒体。
【請求項２３】
供給元装置からの供給元の黒生成アルゴリズムに基づき生成されたＣＭＹＫ供給元カラーデータを、宛先装置によるレンダリングのためのＣＭＹＫ宛先カラーデータに変換するための色処理装置であって、
前記供給元装置に対応し、第１の変換及び前記供給元の黒色生成アルゴリズムを含む供給元カラープロファイルと、前記宛先装置に対応し、第２の変換を含む宛先カラープロファイルとをアクセスする手段と、
前記供給元の黒色生成アルゴリズムの逆変換を前記ＣＭＹＫ供給元カラーデータに適用し、ＣＭＹ供給元カラーデータを生成する手段と、
前記第１の変換をＣＭＹ供給元カラーデータに適用し、デバイス非依存カラーデータを生成する手段と、
前記第２の変換を前記デバイス非依存カラーデータに適用し、ＣＭＹ宛先カラーデータを生成する手段と、
前記アクセスする手段で得られる前記供給元黒色生成アルゴリズムを前記ＣＭＹ宛先カラーデータに適用し、前記ＣＭＹＫ宛先カラーデータを生成する手段と
を備えることを特徴とする色処理装置。